(57)【要約】【課題】インターネットを介して提供するコンテンツやサービスの料金を、電子有価証券で支払い、電子有価証券の料金は携帯電話の料金と一緒に徴収する、電子決済システムを提供する。【解決手段】電子チケットサーバー３０で電子チケットと称する電子有価証券を販売する電子決済システムであって、電子チケットサーバー３０は、販売者情報を記憶する販売者情報記憶手段と、商品情報を記憶する商品情報記憶手段と、販売した電子チケットを記憶する電子チケット情報記憶手段と、販売者の口座情報を記憶する販売者口座情報記憶手段と、を備える。【選択図】    図１
2005044325.tif 000002
【特許請求の範囲】
【請求項１】
インターネットなどの、コンピュータネットワークに接続された、サーバーコンピュータに構築した仮想店舗において、決済処理を行う電子決済方法であって、
（Ａ）電子有価証券の販売者が、販売代金受け取り口座と、販売する電子有価証券の原券を前記仮想店舗に登録し、
（Ｂ）前記仮想店舗では、前記登録された電子有価証券の原券から、販売用の電子有価証券を生成し、
（Ｃ）生成した電子有価証券の、販売と、代金回収を代行し、
（Ｄ）回収した代金は、前記登録された販売者の前記販売代金受け取り口座に移転する、ことを特徴とする電子決済方法。
【請求項２】
請求項１記載の電子決済方法において、前記仮想店舗では、
（Ｅ）販売者には、他の販売者と識別できるように、一意で、重複しない販売者コードを付与して管理及び保存し、
（Ｆ）電子有価証券の原券には、他の電子有価証券の原券と識別できるように、一意で、重複しない商品コードを付与し、更に、商品コードから販売者コードを検索可能なように、販売者コードと関連付けて管理及び保存し、
（Ｇ）販売のために生成した電子有価証券には、他の電子有価証券と識別できるように、一意で、重複しない電子チケットコードを付与し、更に、電子チケットコードから商品コードを検索可能なように商品コードと関連付けて管理及び保存し、
（Ｈ）電子有価証券の販売履歴は、電子チケットコードを含む販売履歴情報を管理及び保存する、
ことを特徴とする電子決済方法。
【請求項３】
請求項１乃至２記載の電子決済方法において、電子有価証券の真贋は、
（Ｉ）検定したい電子有価証券の電子チケットコードと、前記販売履歴に保存された販売履歴情報とを照合し、
（Ｊ）該当する販売履歴情報がある場合は、本物と判定し、
（Ｋ）該当する販売履歴情報がない場合は、偽物と判定する、
ことを特徴とする電子決済方法。
【請求項４】
請求項１乃至３記載の電子決済方法において、携帯電話機からアクセスした購入者に電子有価証券を販売する場合、購入者の承諾を得た上で、販売代金を、アクセスしている携帯電話機の電話料金と共に回収するために、
（Ｌ）販売代金を、電話料金と共に請求し、回収することの承諾を、購入者から得るために、携帯電話会社のコンピュータに意思確認を依頼し、
（Ｍ）購入者の承諾が得られれば、電子有価証券を販売し、その販売代金の回収を電話会社に依頼するが、
（Ｎ）購入者の承諾が得られなければ、電子有価証券を販売しない、
ことを特徴とする電子決済方法。
【請求項５】
インターネットなどの、コンピュータネットワークに接続された、サーバーコンピュータに構築した仮想店舗で、決済処理を行う電子決済システムであって、
前記サーバーコンピュータは、
ネットワーク上で、販売者のクライアントコンピュータに対し、販売者名、出金口座情報、を含む販売者情報を入力させるページを提供する販売者情報入力ページ提供手段と、
前記販売者情報入力ページ提供手段で提供されるページに入力された販売者情報を受信する販売者情報受信手段と、
前記販売者情報受信手段で受信した販売者情報に対応し、一意に、販売者情報を識別可能な販売者コードを生成する販売者コード生成手段と、
前記販売者情報受信手段で受信した販売者情報、及び前記販売者コード生成手段により生成された販売者コード、を含む販売者情報を記憶する販売者情報記憶手段と、
ネットワーク上で、販売者のクライアントコンピュータに対し、商品名、販売者コード、販売価格、購入メッセージ、を含む商品情報を入力させるページを提供する商品情報入力ページ提供手段と、
前記商品情報入力ページ提供手段で提供されるページに入力された商品情報を受信する商品情報受信手段と、
前記商品情報受信手段で受信した商品情報に対応し、一意に、商品情報を識別可能な商品コードを生成する商品コード生成手段と、
前記商品情報受信手段で受信した商品情報、及び前記商品コード生成手段により生成された商品コード、及び前記販売者コード生成手段により生成された販売者コード、を含む商品情報を記憶する商品情報記憶手段と、
ネットワーク上で、購入者の携帯電話機に対し、商品名、販売者名、販売価格、を含む商品情報を表示し、購入の意志を確認するための情報を入力させるページを提供する購入意志確認ページ提供手段と、
前記購入意志確認ページ提供手段で提供されるページに入力された購入意志確認情報と、購入の意志を示した商品情報と、使用された携帯電話機を特定可能な情報である端末情報と、を受信する購入意志確認情報受信手段と、
前記購入意志確認情報受信手段で受信した購入意志確認情報から、購入の意志を判定する購入意志判定手段と、
前記購入意志判定手段で、肯定応答により購入の意志があると判定した場合に、一意に、販売した商品情報を識別可能な電子チケットコードを生成する電子チケットコード生成手段と、
前記購入意志確認情報受信手段で受信した、購入者が購入の意志を示した商品情報、端末情報、及び前記電子チケットコード生成手段により生成された電子チケットコード、及び販売日時、を含む、電子チケットと称する電子有価証券を生成する、電子チケット生成手段と、
前記電子チケット生成手段により生成した電子有価証券情報を、電子チケット情報として記憶する電子チケット情報記憶手段と、
購入者の携帯電話機に、購入した商品の購入メッセージ、及び前記電子チケットコード生成手段により生成された電子チケットコード、を表示する、購入メッセージ表示手段と、電話会社からの、販売代金の入金情報を受信する、入金情報受信手段と、
電話会社からの、販売代金が回収できなかった携帯電話機の端末番号を含む未回収情報を受信する、未回収情報受信手段と、
前記未回収情報受信手段で受信した端末情報に基づいて、前記電子チケット情報記憶手段で記憶した電子チケット情報を検索する未回収電子チケット情報検索手段と、
前記未回収電子チケット情報検索手段により検索した電子チケット情報を、無効な電子チケットとして更新する決済実行手段と、
前記電子チケット情報記憶手段で記憶した電子チケット情報から、前記未回収電子チケット情報検索手段により検索された電子チケット情報に該当せず、且つ、前記入金情報受信手段により受信した、入金情報に該当する電子チケット情報を検索する、回収済み電子チケット情報検索手段と、
前記回収済み電子チケット情報検索手段で検索した電子チケット情報に基づいて、販売者口座情報記憶手段で記憶した販売者口座情報を検索する販売者口座情報検索手段と、
前記回収済み電子チケット情報検索手段で検索した電子チケット情報を、入金済みに更新し、前記販売者口座情報検索手段により検索した販売者口座に関する情報を、電子チケットの入金後の情報に更新するとともに、販売者の出金口座に入金額を移転する、決済実行手段と、
を備え、
前記購入意志判定手段で、否定応答により購入の意志がないと判定した場合に、該当要求を破棄する、
ことを特徴とする電子決済システム。
【請求項６】
請求項５記載の電子決済システムにおいて、
販売者情報入力ページ提供手段により提供するページには、請求項５記載の項目の他に、出金用暗証番号をも入力させるページを提供する販売者情報入力ページ提供手段と、
前記販売者情報入力ページ提供手段で提供されるページに入力された出金用暗証番号を含む販売者情報を受信する販売者情報受信手段と、
前記販売者情報受信手段で受信した出金用暗証番号を含む販売者情報、及び前記販売者コード生成手段により生成された販売者コード、を含む販売者情報を記憶する販売者情報記憶手段と、
ネットワーク上で、販売者のクライアントコンピュータに対し、販売者コード、出金用暗証番号、出金額、を含む出金指示情報を入力させるページを提供する出金指示情報入力ページ提供手段と、
前記出金指示情報入力ページ提供手段で提供されるページに入力された出金指示情報を受信する出金指示情報受信手段と、
前記出金指示情報受信手段により受信した販売者コードに基づき、前記販売者情報記憶手段により記憶した販売者情報を検索する販売者情報検索手段と、
前記販売者情報検索手段で検索した販売者情報の出金用暗証番号と、前記出金指示情報受信手段により受信した出金用暗証番号とを比較する出金用暗証番号検証手段と、
前記出金用暗証番号検証手段で検証した結果、一致した場合に、前記出金指示情報受信手段により受信した販売者コードに基づき、販売者口座情報記憶手段で記憶した販売者口座情報を検索する販売者口座情報検索手段と、
前記販売者口座情報検索手段で検索した販売者口座の残高と、前記出金指示情報受信手段により受信した出金額から、手数料等を加味して実際に出金可能な金額を計算する、出金可能額計算手段と、
前記販売者口座情報検索手段で検索した販売者口座に関する情報を、前記出金可能額計算手段により算出した出金可能額に手数料等を加味した金額を、出金後の情報に更新するとともに、前記出金可能額計算手段により算出した出金可能額を、前記販売者口座に移転する決済実行手段と、
前記出金用暗証番号検証手段で検証した結果、一致しなかった場合に、その旨を表示する暗証番号不一致メッセージ表示手段と、
を備える、
ことを特徴とする電子決済システム。
【請求項７】
請求項５乃至６記載の電子決済システムにおいて、販売した電子チケットには、有効期限を設定可能である、
ことを特徴とする電子決済システム。
【発明の詳細な説明】
【技術分野】
【０００１】本発明は、通信ネットワーク、特にインターネットを介しての電子商取引における仲介方法に関する。また、その方法を適用したコンピュータシステムなどにも関する。
【背景技術】
【０００２】従来、通信ネットワーク（インターネット等）を用いて、支払人から受取人に金銭を支払う方法として、以下のものが知られている。先ず受取人が電話会社との間に、電話会社を介して提供するサービスやコンテンツの代金を電話料金と共に徴収し、受取人の金融機関口座に移転する契約を締結する。次に支払人に電話会社を介してサービスやコンテンツを提供する。この時、電話会社は支払人に対して、支払人が受けようとしているサービスやコンテンツの料金を電話料金と共に徴収することを通知し承諾を得る。この承諾は、電話会社と支払人との間で予め決められたルールに従っており、その方法は、支払人が、使用している電話機、特に携帯電話機において、予め設定した認証用のパスワードを入力することによって、本人確認及び支払い承諾とする旨の契約に従っている。支払人の承諾が得られると電話会社は受取人が用意したサービスやコンテンツを支払人に提供する。電話会社は支払人からサービスやコンテンツの料金を電話料金と共に徴収し、受取人の金融機関口座に移転する。
【発明の開示】
【発明が解決しようとする課題】
【０００３】しかし、前述の方法では、以下の問題があった。第１に、前述の方法は、受取人が、サービスやコンテンツを電話会社のネットワークを介して提供する必要があり、電話会社のネットワークを使用しない有料のメーリングリストや、会員制のインターネットサービス、シェアウエア等の料金の支払いには利用することが出来なかった。第２に、受取人は、電話会社との契約や、常時、インターネットを介してサービスを提供できる機器の設置、及び電話会社を介して提供するサービスやコンテンツの用意等、煩雑な準備が必要であり、更に利用頻度における電話会社の審査等を鑑みると、例えば１０００人未満の小規模な有料メーリングリスト等での会費徴収等に利用するのは困難であり、この方法を利用できるのは、実質的に大規模にサービスやコンテンツの販売を目的とした専門の業者のみに限られていた。【０００４】従って、本発明の目的は、上記のような不都合を解決し、電話会社のネットワークを使用せずに提供されるサービスやコンテンツの料金の支払いや、小規模なグループでの料金の支払いにも利用でき、料金を受け取るために、受取人が、事前に準備しなければならない煩雑な手続きを簡素化した、電子商取引システムを提供する、ことである。
【課題を解決するための手段】
【０００５】上記課題を解決するため、本発明の電子決済方法は、インターネットなどのコンピュータネットワークに接続された電子チケットサーバーと称するサーバーコンピュータで、電子チケットと称する電子有価証券を販売し、その代金を電話会社経由で電話料金と共に回収し、回収した代金を受取人の金融機関口座に移転することと、販売した電子チケットの有効性は電子チケットサーバーに問い合わせることでリアルタイムに検定可能である、ことを特徴とする。
【発明の効果】
【０００６】本発明の電子決済方法によれば、インターネットや、電話会社のネットワークを介して提供する、コンテンツやサービスの課金を容易にし、お互いに面識のない少人数のグループでのサービスの有料化や、ネット上のイベント等の投票券を有料化するような活用方法が可能となる。
【発明を実施するための最良の形態】
【０００７】以下、図面を参照して本発明の電子決済方法の実施の形態を説明する。
図１は、本発明の電子決済方法を実現する電子チケットシステムの一例を示す図である。図１に示すように、インターネットなどのコンピュータネットワーク６０には、購入者コンピュータ１０と、販売者コンピュータ２０と、電子チケットサーバー３０と、購入者携帯電話機４０と、電話会社サーバー５０と、が通信可能に接続されている。また、電子チケットサーバー３０には、販売者の情報を格納する販売者ＤＢ３０１と、販売する電子チケットの情報を格納する商品ＤＢ３０２と、販売した電子チケットの情報を格納する電子チケットＤＢ３０３と、電子チケットの販売代金情報を格納する販売者口座ＤＢ３０４と、を備えている。【０００８】図２は、電子チケットを利用する手順を示す図である。各々の手順において送受信するデータの詳細は、図３以降で示しており、図２では、大まかな流れのみを示す。先ず、販売者が、自己の販売者コンピュータ２０から、電子チケットサーバー３０に対して、販売者の登録を行う。販売者の登録は、販売者の氏名等の個人を特定するための情報と共に、販売した電子チケットの代金を販売者が受け取るための金融機関口座も登録する。【０００９】次に販売者は、自己の販売者コンピュータ２０から、電子チケットサーバー３０に対して、販売する電子チケットを登録する。電子チケットの登録時には、その電子チケットの購入者に対して、販売者が提供する役務を明確に示し登録する。ここでいう役務とは、電子チケットの対価として、販売者が購入者に対して提供する、サービスや電子情報のことであり、例えば、シェアウェアの制限解除用のパスワードや、（電子メールサービス等の）会員登録や、登録済み会員の会員期限の延長等によるサービスの提供等によって、購入者に、電子チケットの購入に見合った対価を与えることを想定している。電子チケットの価格と、購入によって与えられる対価は、販売者が任意に設定できるが、当然の権利として、電子チケットの購入は、購入者の意思に委ねられる。電子チケットの登録に成功した販売者は、ホームページやメール等の任意の手段により、購入者に対して電子チケットを広告し購入を促す。【００１０】購入者は、電子チケットを購入するために、自己の購入者携帯電話機４０から、電子チケットサーバー３０にアクセスし、電子チケットを購入する。この際、電子チケットサーバー３０は、購入者から、電子チケットの代金を、購入者携帯電話機４０の電話料金と一緒に請求し徴収すること、の了承を得る。この時、電子チケットサーバー３０は、電話会社サーバー５０が提供する手段により、購入者から了承を得ることによって、購入者携帯電話機４０を特定し、同時に、電話会社に対して電子チケットの代金徴収を依頼する。電話会社サーバー５０は、例えばＨＴＴＰプロトコルによって購入者携帯電話機４０と通信し、購入者の了承を得る。【００１１】購入者は、購入した電子チケットの電子チケットコードを、自己の購入者コンピュータ１０から、販売者コンピュータ２０が提供する手段によって、販売者コンピュータ２０に対して、提示する。販売者コンピュータ２０は、例えばＨＴＴＰプロトコルによって購入者コンピュータ１０と通信し、電子チケットコードの提示を受ける。購入者携帯電話機４０と、購入者コンピュータ１０との間で、購入した電子チケットの電子チケットコードを受け渡す方法は任意であり、例えば、購入者携帯電話機４０で、購入した電子チケットの電子チケットコードを見ながら、購入者コンピュータ１０に、手入力しても良いし、電子メール等の手段により、購入者コンピュータ１０に電子情報を転送しても良い。【００１２】購入者から、電子チケットコードの提示を受けた販売者コンピュータ２０は、電子チケットサーバー３０に対して、電子チケットの正当性の検定を依頼する。電子チケットサーバー３０は、依頼された電子チケットの正当性を検定し、結果を販売者コンピュータ２０に通知する。販売者コンピュータ２０は、検定の結果、正規の電子チケットであると認められた場合は、購入者コンピュータ１０に対して相当の役務を提供する。検定の結果、正規の電子チケットであると認められない場合は役務を提供しない。【００１３】電話会社は、購入者携帯電話機４０を使用して購入した電子チケットの代金を、購入者携帯電話機４０の電話料金と一緒に請求し、徴収する。徴収した電子チケットの代金は、電話会社と、電子チケットサーバー３０の設置元との間で取り決めた金融機関口座に入金し、電子チケットサーバー３０には、入金結果を電子情報として通知する。電子チケットサーバー３０は、通知された電子情報から、販売者毎に代金を振り分け、管理及び保存する。【００１４】販売者は、電子チケットサーバー３０に対して、自己の販売済み電子チケットの代金の回収状況を問い合わせる。電子チケットの代金が回収されている場合、販売者は、電子チケットサーバー３０に対して、登録した金融機関口座への出金を指示する。電子チケットサーバー３０は、販売者の本人認証を行った上で出金指示を受け付け、出金可能な金額以内の指示された金額を、登録されている金融機関口座に移転する。移転した代金と移転に際し発生した振込み手数料などの実費相当分は、回収済みの電子チケットの販売代金から減額する。【００１５】図３は、図１及び図２における、販売者コンピュータ２０と、電子チケットサーバー３０との間で送受信される、電文のシーケンスを示す図である。販売者コンピュータ２０と、電子チケットサーバー３０との間では、販売者コンピュータ２０が送信したトリガーとなる電文（Ｓ２０１、Ｓ２０３、Ｓ２０５、Ｓ２０７、Ｓ２０９、Ｓ２１１）に対して、電子チケットサーバー３０が、対となる応答用の電文（Ｓ２０２、Ｓ２０４、Ｓ２０６、Ｓ２０８、Ｓ２１０、Ｓ２１２）を送信する。【００１６】図４は、購入者が携帯電話機を使用して電子チケットを購入する場合に、販売者コンピュータ２０、電子チケットサーバー３０、購入者携帯電話機４０、電話会社サーバー５０、との間で送受信される、電文のシーケンスを示す図である。先ず、購入者携帯電話機４０が送信したトリガーとなる電文（Ｓ３０１）に対して、販売者コンピュータ２０が、電子チケットの提示を要求する応答用の電文（Ｓ３０２）を送信する。電子チケットを購入済みの場合は、電子チケットコードを提供する電文（Ｓ３０９）を販売者コンピュータ２０に送信するが、電子チケットを購入していない場合は、電子チケットを購入するための電文（Ｓ３０３）を、電子チケットサーバー３０に送信する。【００１７】電子チケットサーバー３０は、電子チケットを購入するための電文（Ｓ３０３）を受信すると、電話会社サーバー５０に対して購入の意志の確認依頼を行う電文（Ｓ３０４）を送信する。電話会社サーバー５０は、購入の意志の確認依頼を行う電文（Ｓ３０４）を受信すると、購入者携帯電話機４０に対して決済用のパスワードを要求する電文（Ｓ３０５）を送信し、購入の意志を確認する。購入者は、電子チケットを購入するために、購入者携帯電話機４０から、決済用のパスワードを要求する電文に対して、承諾用のパスワードを応答し、購入者携帯電話機４０は、その応答電文（Ｓ３０６）を送信する。【００１８】電話会社サーバー５０は、応答電文を受け取ると、パスワードを検証し、正しいパスワードであれば、電子チケットサーバー３０に対して、承諾された旨と、携帯電話機４０の端末番号を通知する決済応答電文（Ｓ３０７）を送信する。【００１９】決済応答電文を受信した電子チケットサーバー３０は、電子チケットを生成し、その電子チケットコードを通知する電文（Ｓ３０８）を購入者携帯電話機４０に送信する。電子チケットコードを通知する電文を受信した購入者携帯電話機４０は、販売者コンピュータ２０に対して、電子チケットコードを提供する電文（Ｓ３０９）を送信する。【００２０】電子チケットコードを提供する電文を受信した販売者コンピュータ２０は、電子チケットサーバー３０に対して、受信した電子チケットコードの検定を要求（Ｓ２１１）し、電子チケットサーバー３０では、その検定結果を応答（Ｓ２１２）する。販売者コンピュータ２０では、電子チケットコードを検定した結果、正しい電子チケットコードであると判定された場合は、購入者携帯電話機４０からの要求に対して、相当の役務を提供（Ｓ３１０）し、正しい電子チケットと判定されなかった場合は、該当の要求を破棄する。【００２１】図５は、購入者が携帯電話機以外のコンピュータを使用して電子チケットを購入する場合に、購入者コンピュータ１０、販売者コンピュータ２０、電子チケットサーバー３０、購入者携帯電話機４０、電話会社サーバー５０、との間で送受信される、電文のシーケンスを示す図である。先ず、購入者コンピュータ１０から、販売者コンピュータ２０に対して役務を要求する電文（Ｓ４０１）を送信する。販売者コンピュータ２０は、役務を要求する電文を受信すると、購入者コンピュータ１０に対して電子チケットの提示を求める電文（Ｓ４０２）を送信する。購入者は電子チケットを購入済みの場合は、電子チケットを提示する電文（Ｓ４０７）を販売者コンピュータ２０に送信するが、電子チケットを購入していない場合は、電子チケットサーバー３０に対して、電子チケットの購入を要求する電文（Ｓ４０３）を送信する。【００２２】電子チケットサーバー３０では、購入者コンピュータ１０からの電子チケットの購入要求電文を受信すると、電子チケットを生成し、購入者携帯端末４０に対して生成した電子チケットの決済を依頼する電子メール（Ｓ４０４）を送信するとともに、購入者コンピュータ１０に対して、生成した電子チケットを提示する電文（Ｓ４０５）を送信する。尚、生成した電子チケットは、購入者携帯端末４０が決済するまで無効な電子チケットとして管理されている。【００２３】携帯電話機４０では、決済を依頼する電子メールを受信すると、その電子メールに示されたＵＲＬにアクセス（Ｓ４０６）し、電子チケットの購入（決済）を行う（Ｓ３０４〜Ｓ３０８）。電子チケットサーバー３０では、決済された電子チケットを有効な電子チケットとして登録する。【００２４】購入者は、電子チケットを購入すると、販売者コンピュータ２０に対して電子チケットを提示した上で役務の提供を要求する電文（Ｓ４０７）を送信する。販売者コンピュータ２０は、電子チケットサーバー３０に対して、受信した電子チケットコードの検定を要求（Ｓ２１１）し、電子チケットサーバー３０では、その検定結果を応答（Ｓ２１２）する。販売者コンピュータ２０では、電子チケットコードを検定した結果、正しい電子チケットコードであると判定された場合は、購入者コンピュータ１０からの要求に対して、相当の役務を提供（Ｓ４０８）し、正しい電子チケットと判定されなかった場合は該当の要求を破棄する。
【図面の簡単な説明】
【００２５】
【図１】本発明の電子チケットを利用したネットワークシステムの一例を示す図である。
【図２】電子チケットを利用したネットワークシステムにおいて、各機器が果たすべき役割の一例を示す図である。
【図３】（Ａ）は販売者を電子チケットサーバーに登録するための通信手順の一例を示す図である。（Ｂ）は商品を登録するための通信手順の一例を示す図である。（Ｃ）は販売者口座ＤＢの残高を照会するための通信手順の一例を示す図である。（Ｄ）は出金（販売者口座ＤＢの残高を販売者の登録時に指定した実在する金融機関の口座に振り込むこと）依頼するための通信手順の一例を示す図である。（Ｅ）は販売済み電子チケットのうち、携帯電話会社が振替に失敗したために電子チケットサーバーに入金されなかった電子チケットの一覧を取得するための通信手順の一例を示す図である。（Ｆ）は販売済み電子チケットの真贋を検定するための通信手順の一例を示す図である。（Ｇ）は前記手順において送受信される情報の内容を概略図として示している。
【図４】（Ａ）は購入者が携帯電話機から電子チケットの購入を行う場合の通信手順の一例を示す図である。（Ｂ）は前記手順において送受信される情報の内容を概略図として示している。
【図５】（Ａ）は購入者が携帯電話機以外の端末（購入者コンピュータ）から電子チケットの購入を行う場合の通信手順の一例を示す図である。（Ｂ）は前記手順において送受信される情報の内容を概略図として示している。
【図６】販売者ＤＢに格納する情報の一例を示す図である。
【図７】商品ＤＢに格納する情報の一例を示す図である。
【図８】電子チケットＤＢに格納する情報の一例を示す図である。
【図９】販売者口座ＤＢに格納する情報の一例を示す図である。
【符号の説明】
【００２６】１０・・購入者コンピュータ
２０・・販売者コンピュータ
３０・・電子チケットサーバー
４０・・購入者携帯電話機
５０・・電話会社サーバー
６０・・コンピュータネットワーク
３０１・・販売者ＤＢ
３０２・・商品ＤＢ
３０３・・電子チケットＤＢ
３０４・・販売者口座ＤＢ
【図１】
2005044325.tif 000003
【図２】
2005044325.tif 000004
【図３】
2005044325.tif 000005
【図４】
2005044325.tif 000006
【図５】
2005044325.tif 000007
【図６】
2005044325.tif 000008
【図７】
2005044325.tif 000009
【図８】
2005044325.tif 000010
【図９】
2005044325.tif 000011